(57)【要約】【課題】１回のポンピング量が８０ｍｃｌ（±２０％）以下の小型ポンプ、および５０ｍｃｌ（±２０％）以下の超小型ポンプに使用できる新規仕組みのスプレーポンプを提供すること、および、その際に、ポンピングがきわめて滑らかな新規仕組みのスプレーポンプを提供すること。【解決手段】キャップ、ハウジング、ピストン、ポペット弁、スプリング、ボタンなどを含む構成のスプレーポンプにおいて、ピストンを支持する第１のスプリングが前記ピストンと前記ハウジングの多段式顎との間に設けられており、ポペット弁を支持して前記第１のスプリングより小さい弾性度を有する第２のスプリングが前記ポペット弁と前記ハウジングの下端流入口との間に設けられており、休息モードで前記多段式顎に対応する位置の前記ポペット弁の側面には上向きに傾斜された密封部が形成されているスプレーポンプにより提供。【選択図】      図２
2004197729.tif 000002
【特許請求の範囲】
【請求項１】
１回のポンピング量（噴射量）が８０ｍｃｌ（±２０％）以下のポンプであって、
ポンプ本体を容器の出口に密封された状態で締結するキャップと、該キャップに締結されて液体の流れを誘導し、多段式の仕組みからなるハウジングと、該ハウジングの内面に沿って上下に往復動をし、内部に垂直貫通路が形成されているピストンと、前記貫通路を開閉するロッドが上部に形成されているポペット弁と、前記ピストン、あるいはポペット弁に上向きの復原力を提供するスプリングと、前記ピストンの上端に装着され、ピストンの貫通路と連結されているノズルが側面に設けられているボタンなどを含む構成のスプレーポンプにおいて、
ピストンを支持する第１のスプリングが前記ピストンと前記ハウジングの多段式顎との間に設けられており、ポペット弁を支持して前記第１のスプリングより小さい弾性度を有する第２のスプリングが前記ポペット弁と前記ハウジングの下端流入口との間に設けられており、休息モードで前記多段式顎に対応する位置の前記ポペット弁の側面には上向きに傾斜された密封部が形成されていることを特徴とする、滑らかにポンピングできる手動式小型スプレーポンプ。
【請求項２】
前記ハウジングの下端流入口から上向きに延長されている流入路には、その上端にハウジングの多段式顎から上向きに突出部が形成されていることを特徴とする請求項１に記載の手動式小型スプレーポンプ。
【請求項３】
前記第２のスプリングの弾性度は、第１のスプリングの弾性度の１／２〜１／１．４倍であることを特徴とする請求項１に記載の手動式小型スプレーポンプ。
【請求項４】
噴射モードでピストンなどの下降が行われつつ、瞬間的に噴射が行われた直後の密封部の高さから下向きにハウジングの内面下端の流入路を沿って、微細な垂直凹凸部が成形されていることを特徴とする請求項１に記載の手動式小型スプレーポンプ。
【請求項５】
ポンプの１回のポンピング量が５０ｍｃｌ（±２０％）以下であることを特徴とする請求項１〜４のいずれかに記載の手動式小型スプレーポンプ。
【請求項６】
ポンプの１回のポンピング量が３５ｍｃｌ（±２０％）であることを特徴とする請求項１〜４のいずれかに記載の手動式小型スプレーポンプ。
【発明の詳細な説明】
【０００１】
【発明の属する技術分野】
本発明は、滑らかにポンピングできる手動式小型スプレーポンプに係り、より詳しくは、新規の内部形状と力が分散できる仕組みによって、１回のポンピング量（噴射量）が８０ｍｃｌ（±２０％）以下であって、きわめて少ないばかりか、ポンピングの過程が滑らかに行えるスプレーポンプを提供する。
【０００２】
【従来の技術】
一般に、従来における液相の内容物を密閉された容器に貯蔵した状態で、ポンプの上端に装着されているボタンを簡単に押圧して前記内容物をボタンのノズルを通して容器の外部へ噴射するスプレーポンプは、さまざまな長所をもつことによって広範に使用されている。かかるスプレーポンプは内容物の状態（たとえば、粘度など）とか、１回のポンピング量など、いろいろな要件によって多様な仕組みに開発されてきた。
【０００３】
粘度の低い液相内容物を噴霧状で噴射するスプレーポンプの代表的な仕組みを見てみると、ポンプ本体を容器の出口に密封された状態で締結するキャップと、該キャップに締結されて液体の流れを誘導し、多段式の仕組み（下方へ行くほど順次小さくなる仕組み）でなっているハウジングと、該ハウジングの内面に沿って上下に往復動をし、内部に垂直貫通路が形成されているピストンと、前記貫通路を開閉するロッドが上部に形成されているポペット弁と、前記ピストン、あるいはポペット弁に上向きの復原力を提供するスプリングと、該ピストンの上端に装着され、ピストンの貫通路と連結されているノズルが側面に設けられているボタンとから構成されている。
【０００４】
したがって、液相内容物を噴射するためにボタンを押圧すると（下向力を提供すると）、ハウジングの内部に流入されている内容物が加圧されてピストンの貫通路に沿って上昇されてノズルを通して噴射される。逆に、ボタンから加えられた下向力をとり消すと、貫通路はポペット弁の上部ロッドによって閉鎖されてピストンが上昇しつつ、ハウジングの内部圧力が低下され、これを補うために容器から内容物が流入されるようになる。
【０００５】
ポンピング過程で、ハウジングの下部（具体的には、ハウジングの下部に一体に形成されている流入口）を開閉してハウジングの内部空間の圧力を変化させることによって、内容物がポンピングできるようにする構成として、多様な仕組みが開発されている。
【０００６】
たとえば、米国特許第５、２７７、５５９号は、スライディングシールをポペット弁に装着させて前記のごとき目的を達成しており、この出願人のＰＣＴ国際出願公開ＷＯ０２／０７６６２７号は、独特の仕組みを有するポペット弁と、ハウジングの内部下端から突出されている内部シリンダーによって前記の目的を達成している。
【０００７】
一方で、スプレーポンプは１回のポンピング量によって区別することもできるが、たとえば、１回のポンピング量が８０ｍｃｌ（１ｍｃｌ＝１／１０００ｃｃ）（±２０％）以下のもの（本発明ではこれを、「小型ポンプ」とも呼んでいる）と、８０ｍｃｌ（±２０％）以上のものとに区別することができる。多くの従来のポンプは、その構造的な限界によって小型ポンプの機能が行われえない場合が多いし、たとえ、ポンピングができるとしても使用時にノズルで液滴が形成されたり、噴射力が発揮できないことによって、実用性に劣っていたり、あるいは強い力を加えられた場合にだけ、ポンピングが可能であることによって、使用にきわめて不便な場合が多い。
【０００８】
液相内容物を円滑に噴射させるためには、ポンピングの過程で内容物がハウジングの可変的な内部空間で相当な程度に加圧されるべきであって、加圧度合がスプリングの力を克服してピストンの貫通路とポペット弁の上部ロッドとの密着状態（閉鎖状態）を開封状態に変化させてこそ、ハウジングの内部空間の内容物はピストンの貫通路に流入されうる。小型ポンプではハウジングの内部空間が小さくなるよりしかなく、かかる仕組みの限界で上記のごとき高い加圧状態を得るためには、高い弾性度のスプリングが必要となる。したがって、ポンピング過程には上記のごとき問題点が伴うし、１回のポンピング量が５０ｍｃｌ（±２０％）以下のポンプ（本発明ではこれを、最小型ポンプとも呼んでいる）にはなおさらそうである。
【０００９】
もっとも、一般製品の種類が多様化するにつれて、携帯できる小型、あるいは超小型のスプレーポンプに対する需要が高まっており、消費者の製品への購買性向も気難しくなっていることから、きわめて滑らかにポンピングできるスプレーポンプに対する必要性が高まっている。
【００１０】
【発明が解決しようとする課題】
そこで、本発明は上記種々の問題点を解決するためになされたものであって、本発明の目的は、１回のポンピング量が８０ｍｃｌ（±２０％）以下の小型ポンプ、および５０ｍｃｌ（±２０％）以下の超小型ポンプに使用できる新規仕組みのスプレーポンプを提供することにある。
【００１１】
本発明のさらに他の目的は、小型ポンプ、あるいは超小型ポンプとして使用する場合、ポンピングがきわめて滑らかな新規仕組みのスプレーポンプを提供することにある。
【００１２】
本発明者らは、上記従来技術における種々の問題点を鋭意注視しつつ、これを解決するため、多年間にわたる研究と実験を重ねた末、従来のスプレーポンプにおけるポペット弁の仕組みとハウジングの内部下端の仕組みを変形して、ポンピング過程で内容物の加圧が行われるハウジングの内部空間の活用度を高め、かように変形された仕組みのもとで、特定の位置に相互に異なる弾性度を有する２個のスプリングを設けて、ポンプの作動時に力を分散させることによって、小型、および最小型ポンプに使用できるばかりでなく、ポンピング過程がきわめて滑らかに行われうるスプレーポンプを開発するに及んだ。
【００１３】
【課題を解決するための手段】
上記のような目的を達成するためになされた、本発明に従う小型スプレーポンプは、１回のポンピング量（噴射量）が８０ｍｃｌ（±２０％）以下のポンプであって、ポンプ本体を容器の出口に密封された状態で締結するキャップと、該キャップに締結されて液体の流れを誘導し、多段式の仕組みからなるハウジングと、該ハウジングの内面に沿って上下に往復動をし、内部に垂直貫通路が形成されているピストンと、前記貫通路を開閉するロッドが上部に形成されているポペット弁と、前記ピストン、あるいはポペット弁に上向きの復原力を提供するスプリングと、前記ピストンの上端に装着され、ピストンの貫通路と連結されているノズルが側面に設けられているボタンなどを含む構成のスプレーポンプにおいて、ピストンを支持する第１のスプリングが前記ピストンと前記ハウジングの多段式顎との間に設けられており、ポペット弁を支持して前記第１のスプリングより小さい弾性度を有する第２のスプリングが前記ポペット弁と前記ハウジングの下端流入口との間に設けられており、休息モードで前記多段式顎に対応する位置の前記ポペット弁の側面には上向きに傾斜された密封部が形成されていることを特徴とする。
【００１４】
次に、本発明における用語について簡単に述べることにする。
【００１５】
休息モ−ド（ｒｅｓｔ  ｍｏｄｅ）とは、ポンプのボタンに下向力が加えられていない状態でピストンなどが上向き、および下向き運動をしていない状態を意味する。逆の概念として、作動モ−ド（ｏｐｅｒａｔｉｏｎ  ｍｏｄｅ）とは、ポンプのボタンに下向力が加えられてピストンなどの下向き運動によってポンプ内の内容物が噴射される状態とか、その次の過程として、ボタンに加えられた下向力が除去されてピストンなどの上向き運動によって内容物が容器からポンプ内に流入される状態を意味する。場合によっては、説明の便宜のため、前者を噴射モード（ｓｐｒａｙ  ｍｏｄｅ）として、後者を流入モード（ｉｎｆｌｏｗ  ｍｏｄｅ）として説明することもある。
【００１６】
したがって、本発明に従うスプレーポンプは、ポンプの作動モード時、ポペット弁の密封部がハウジングの内部下端の流入路に沿って動きつつ、液相内容物を加圧するようになり、前記密封部が前記突出部から外れる場合（具体的には、上向きに動いていた密封部が突出部をやや越える場合）、内容物がハウジング内に流入されるようになる。さらに、噴射モードにおいてボタンに加えられる下向力はピストンを支持する第１のスプリングとポペット弁を支持する第２のスプリングに働きかけることになり、流入モードにおいて、これらは前記２個のスプリングによって復元されるようになる。
【００１７】
本発明のかような仕組みによる効果は、第一に、内容物の加圧が起こるハウジングの可変的内部空間がポンプ全体の大きさに比べて相対的に広い容積をもつため、ポンプの大きさを小型化でき、第二に、ポンプの構成要素の構成が簡単であり、仕組みが安定して、作動時に故障が少なく、第三に、ピストンとポペット弁をそれぞれ支持して相互に異なる弾性度を有する２個のスプリングによって作動モードから加えられる力を分散させて滑らかにポンピングできることから、１回のポンピング量が８０ｍｃｌ（±２０％）以下である小型ポンプに使用できるということである。
【００１８】
上述のごとく、従来のポンプはいろいろな要因によって、１回のポンピング量が８０ｍｃｌ（±２０％）以下の小型ポンプには使用しがたい問題点をもっていた。さらに、そのような仕組みをそのまま保持した状態で小型ポンプに使用するとしても、必らず小さくなるハウジングの可変的内部空間（つまり、内容物の加圧が起こる空間）でポンピングをするための圧力を提供するために必須に高い弾性度をもつスプリングを使用しなければならず、これによって、ポンピングに大きい力を必要とするなど、実用的な小型ポンプを提供しがたいといった問題点があった。
【００１９】
本発明に従うスプレーポンプにおいて、ポンピング時、力の分散過程について簡単に見てみれば、次のとおりである。ハウジングの多段式顎に固定された状態でピストンを支持する第１のスプリングはボタンに加えられる下向力がもっぱら集中されるポンプの構成要素であり、下向力の除去時にピストンの復元にもっぱら寄与することになる。ハウジングの下端の流入口の回りに固定された状態でポペット弁を支持する第２のスプリングは、第１のスプリングより弱い弾性度をもつことから、第１のスプリングに比べてボタンに加えられる下降力の集中は少ない。逆に、ボタンに加えられた下向力が除去される場合（つまり、流入モード）ではポペット弁の復元に寄与してポペット弁の上部ロッドがピストンの貫通路に密着するようにして、内容物がハウジング内に流入する。かかる作動原理は従来のスプレーポンプからは得られない本発明だけの特徴であり、かような独特の作動原理によって滑らかに作動する小型、あるいは超小型スプレーポンプの製作が可能となる。
【００２０】
一実施例において、前記ハウジングの下端の流入口から上向きに延長されている流入路は、その上端にハウジングの多段式顎から上向きに突出部が形成されている。かかる仕組みにおいて、第２のスプリングは円筒形の突出部に嵌入された状態で多段式顎に締結されることから、位置安定性に優れるようになり、ポペット弁の密封部との着脱が適確に保障されるため、ポンピング性がさらに優れることになる。
【００２１】
第２のスプリングの弾性度は、第１のスプリングの弾性度の１／２〜１／１．４倍ぐらいが好ましい。第２のスプリングの弾性度が第１のスプリングの弾性度に比べて弱いため、相対的に小さい復原力を有することになる。ところで、第１のスプリングが支持するピストンの接するハウジングの内面径は、第２のスプリングが支持するポペット弁の密封部の接する流入路の内面径より大きいことから、相対的に接する面積も大きくなって、摩擦力も大きくなる。したがって、ハウジングの内面との摩擦力などを考量に入れる場合、高い弾性度の第１のスプリングによる実質的な復原力は弱い弾性度の第２のスプリングによる復原力より小さくなる。これによる効果については後述することにする。
【００２２】
一実施例において、さらに滑らかにポンピングをなして噴射された内容物がノズルで液滴（たとえば、水滴）を形成するのを防止するため、噴射モードでピストンなどの下降が行われつつ、瞬間的な噴射が行われた直後の密封部の高さから下向きに、ハウジングの内面下端の流入路に沿って、微細な垂直凹凸部が成形されている。
【００２３】
本発明に従うスプレーポンプの１回のポンピング量は、上述のごとく、８０ｍｃｌ（±２０％）以下であり、好ましくは５０ｍｃｌ（±２０％）以下、さらに好ましくは３５ｍｃｌ（±２０％）である。従来のスプレーポンプにおいて、滑らかにポンピングできるものとして、前記範囲の１回のポンピング量を提供するポンプは存在しないし、これは、本発明のもう一つの特徴である。
【００２４】
【発明の実施の形態】
以下、本発明に従う一実施例について添付図に沿って詳述する。
【００２５】
図１には、本発明の一実施例に沿うスプレーポンプ１００の噴射モードにおける状態図が垂直断面図として示されている。図１を参照すると、スプレーポンプ１００は、ポンプ１００の本体を容器（図示せず）の出口に密封された状態で締結するキャップ２００と、そのキャップ２００に締結されて液体の流れを誘導し、多段式の仕組みからなるハウジング３００と、そのハウジング３００の内面に沿って上下往復動をし、内部に垂直貫通路４１０が形成されているピストン４００と、貫通路４１０を開閉するロッド５１０が上部に形成されているポペット弁５００と、ピストン４００に上向きの復原力を提供する第１のスプリング６００と、ポペット弁５００に上向きの復原力を提供する第２のスプリング６１０と、ピストン４００の上端に装着されてピストン４００の貫通路４１０と連結されているノズル７１０が側面に設けられているボタン７００とから構成されている。
【００２６】
図１、およびハウジング３００の垂直断面図が示されている図３を参照すると、ハウジング３００は下向きに径が順次小さくなる多段式構成からなり、ピストン４００が最低に下降された場合、ピストン４００の下端延長部４２０が接合することになる第１の多段式顎３１０と第１のスプリング６００の位置する第２の多段式顎３２０とからなされている。ハウジング３００の下部は液相内容物（図示せず）が流入される下端流入口３３０と、その流入口３３０から上向きに延長されている流入路３４０、およびその流入路３４０の上端でハウジング３００の第２の多段式顎３２０から上向きに突出されている突出部３５０とから構成されている。流入路３４０の側面の一部には微細な垂直凹凸部３６０が形成されている。
【００２７】
垂直凹凸部３６０のさらなる具体的な形状は、ハウジング３００の平面図とその一部の拡大図が示されている図４ａ、および４ｂで確認することができる。図４ｂで見られるように、流入路３５０の側面に形成されている垂直凹凸部３６０は、２個の突出部位ａ、ｂで構成されており、その間ｃが開かれている。垂直凹凸部３６０の高さと役割などについては、以後のポンプの作動原理を説明する際に、さらに具体的に説明することにする。
【００２８】
再度、図１、および３を参照すると、ハウジング３００の上部側面には気孔３８０が穿設されていることから、ピストン４００が上下動作をする場合、ハウジング３００とピストン４００との間の密閉された空間での気圧変化を調節するようになる。さらに、ハウジング３００の下端には容器の内部へ延長されているチューブ（図示せず）を嵌入して締結するための嵌入部３９０が形成されている。
【００２９】
図１とピストン４００の垂直断面図が示されている図５を参照すると、ピストン４００はボタン７００の下端締結口７２０に嵌入されて締結される上端部４３０と、ハウジング３００の内面に密着された状態で上下動作をする下端延長部４２０と、ピストン４００を垂直に貫通する貫通路４１０とから構成されている。下端延長部４２０は放射状に開放された仕組みになっており、その内側下端面４２２に第１のスプリング６００の上端が接するようになる。貫通路４１０は上向きに径が順次小さくなる多段式になっており、下方の貫通路の顎４１２にポペット弁５００のロッド５１０が着脱されるようになっている。図１で見られるように、内容物がハウジングの内部空間Ｓで加圧されて噴射される噴射モードでは前記貫通路の顎４１２とロッド５１０が瞬間的に離れるようになる。
【００３０】
図１とポペット弁５００の垂直断面図が示されている図６を参照すると、ポペット弁５００は尖状の上端ロッド５１０と、上向きに傾斜された状態で開放されている密封部５２０を含んでいる。密封部５２０はハウジング３００の流入路３４０に密着された状態で上下動されるが、容器内の液相内容物がハウジングの内部空間Ｓに流入される流入モードでは、ハウジング３００の突出部３５０から上向きに外れることによって、そのものから離れるようになる。放射状に開放されている密封部５２０の上端５２２の幅ｗは流入路３４０に嵌入されていない状態で流入路３４０の径より大きい。したがって、密封部の上端５２２がやや圧縮された状態で流入路３４０に嵌入されることから、密封状態がさらに高められる。
【００３１】
本発明に従うスプレーポンプ１００の作動状態について図を参照しつつ説明する。
【００３２】
休息モードにあったスプレーポンプ１００のボタン７００に圧力（下向力）を加えると、ピストン４００の貫通路４１０はポペット弁５００のロッド５１０によって密閉された状態でピストン４００とポペット弁５００が下降するようになる。ハウジング３００とピストン４００、およびポペット弁５００によって形成されたハウジングの内部空間Ｓの容積は、かかる下降運動によって、多段式内径を有するハウジングの内面に沿って下降されつつ狭まるようになり、これによって、ハウジングの内部空間Ｓにある液相内容物は継続的に加圧されるようになる。かかる下向き運動過程で、ハウジング３００の流入路３４０はポペット弁５００の密封部５２０によって継続的に密閉されている。
【００３３】
加圧された内容物の圧力が第２のスプリング６１０の弾性度を克服できる程にいたると、ポペット弁５００をさらに下降させて貫通路４１０を塞いでいたロッド５１０が瞬間的に離れるようになる。かかる離隔すき間を通してハウジングの内部空間Ｓの液相内容物は、図１の矢印のごとく、貫通路４１０に流入されてノズル７１０を通して外部へ排出されるようになる。貫通路４１０とロッド５１０のかような離隔現象は瞬間的に発生し、シリンダーの内部空間Ｓの圧力が減少すると、第２のスプリング６１０の力によって前記離隔すき間が再度密閉されるようになる。
【００３４】
かかる噴射現象は瞬間的に発生するため、かかる噴射にもかかわらず、一般的にボタンに加わる下向力を保持するようになる。したがって、噴射以後にもピストン４００とポペット弁５００をある程度下降させるようになる。その場合、これらの継続的な下降によって前記離隔すき間の密閉過程が瞬間的に進行されないようになることもあるし、これによって、圧力のやや低下した内容物が少々ノズルから噴出される過程で液滴を形成することがある。したがって、噴射モ−ドの直後にハウジングの内部空間Ｓの圧力を速めに低めて上記のごとき液滴形成を防止し、ポンピング過程をさらに滑らかにするのが好ましく、かかる役割を流入路３５０の内面に形成されている微細な垂直凹凸部３６０が行うようになる。
【００３５】
したがって、図３における流入口３３０の底面３７０から垂直凹凸部３６０の高さｈは、図１で噴射モ−ドの直後にポペット弁５００の密封部５２０の位置する高さに相応する。ポペット弁５００の継続的な下降によって密封部５２０が垂直凹凸部３６０上へ動作すると、垂直凹凸部３６０の突出部位ａ、ｂは密封部５２０に接するようになるが、その間の陷沒部位ｃはそのようにはならないし、かかる陷沒部位ｃを通してハウジングの内部空間Ｓの圧力は急激に低下する。したがって、貫通路４１０とロッド５１０の密閉過程が急激になされるため、前記液滴現象が起こらないようになる。
【００３６】
逆に、ボタン７００に加えられた下向力を除去する流入モードでは、図２に示すように、第１のスプリング６００の復原力によってピストン４００が上昇し、第２のスプリング６１０の復原力によってポペット弁５００が上昇するようになる。第２のスプリング６１０の弾性度が第１のスプリング６００の弾性度より小さいことから、ポペット弁５００に働きかける復原力は、ピストン４００に働きかける復原力より小さい。ところで、実質的な復原力の側面ではそうではない。なぜなら、ポペット弁５００の密封部５２０が密着されている流入路３５０の内径はピストン４００の下端延長部４２０が密着されているハウジング３００の内径よりはるかに小さいことから、上昇運動過程でピストン４００の受ける摩擦力は、ポペット弁５００の受ける摩擦力よりはるかに大きくなる。したがって、スプリングの弾性度差と摩擦力差などを総合的に考量する場合、ポペット弁５００の実質的な復原力はピストン４００の復原力より大きくなる。かかる現象はきわめて重要であるが、流入モード過程で貫通路４１０とロッド５１０との密着が必須になっているからである。
【００３７】
上述において、第２のスプリング６１０の好ましい弾性度は、第１のスプリング６００の弾性度の１／２〜１／１．４倍程度であると述べたが、かかる範囲で上記のごとき現象が極大化されうるし、本発明のもうひとつの特徴である力の分散が最大に達成されうるからである。
【００３８】
流入モードで、ポペット弁５００の密封部５２０が流入路３４０の垂直凹凸部３６０を外れると、密封部５２０は流入路３４０に密着するようになることから、前記貫通路４１０とロッド５１０との密着とともに、ハウジングの内部空間Ｓは完全に密閉されるようになる。かかる状態で、ピストン４００とポペット弁５００の継続的な上昇によって、分散モードのときとは逆に、ハウジングの内部空間Ｓの容積が大きくなりつつ圧力が下降するようになる。最終的に、ポペット弁５００の密封部５２０が流入路３４０の上端突出部３５０を外れるようになると、容器に入れてあった液相内容物は図２での矢印のごとく、密封部５２０と突出部３５０との離隔すき間を通してハウジングの内部空間Ｓに流入されるようになる。
【００３９】
以上において、本発明に従う実施例を参照しつつ、本発明の内容を具体的に述べてきたが、本発明が属する分野における通常の知識を有する者であれば、上記内容を踏まえて、本発明の範囲内で多様な応用、および変形を加えることができよう。
【００４０】
【発明の効果】
上述のように、本発明のスプレーポンプは、内容物の加圧が起こるハウジングの可変的な内部空間がポンプ全体の大きさに比べて相対的に大容積を有することから、ポンプの大きさを小さくすることができ、ポンプの構成要素などの構成が簡単であり、かつ仕組みも安定し、作動時の故障も少ないうえ、ピストンとポペット弁をそれぞれ支持して相互に異なる弾性度を有する２個のスプリングによって、作動モ−ドから加えられる力を分散せしめて滑らかにポンピングできるようにすることから、１回のポンピング量が８０ｍｃｌ（±２０％）以下の小型ポンプに使用することができるものである。しかも、力の分散による滑らかなポンピングは従来のスプレーポンプでは実現できなかった、本発明だけの独特の特徴を有する優れた効果を奏するものである。
【図面の簡単な説明】
【図１】本発明の一実施例に沿う小型スプレーポンプの噴射モードのもとでの垂直断面図である。
【図２】図１の小型スプレーポンプの流入モードのもとでの垂直断面図である。
【図３】本発明の一実施例に沿う小型スプレーポンプの構成要素のハウジングの垂直断面図である。
【図４】図４ａは図３のハウジングの平面図であり、図４ｂは図４ａのＸ部位の拡大図である。
【図５】本発明の一実施例に沿う小型スプレーポンプの構成要素のピストンの垂直断面図である。
【図６】本発明の一実施例に沿う小型スプレーポンプの構成要素のポペット弁の垂直断面図である。
【符号の説明】
１００    スプレーポンプ
２００    キャップ
３００    ハウジング
４００    ピストン
５００    ポペット弁
６００    第１のスプリング
６１０    第２のスプリング
７００    ボタン
【図１】
2004197729.tif 000003
【図２】
2004197729.tif 000004
【図３】
2004197729.tif 000005
【図４】
2004197729.tif 000006
【図５】
2004197729.tif 000007
【図６】
2004197729.tif 000008